(57)【特許請求の範囲】
【請求項１】
端末情報を保持する第１の記憶手段を備え前記第１の記憶手段が保持する端末情報を用いて動作する移動無線端末装置と、前記移動無線端末装置との間で無線回線を介してデータ通信可能なサーバー装置とを含む移動無線通信システムであって、
前記移動無線端末装置は、
前記第１の記憶手段が保持している端末情報を前記第１の記憶手段から読み出して前記サーバー装置に送信する第１の情報送信手段と、
前記第１の記憶手段が保持している端末情報より第１のチェックサムを算出し、前記サーバー装置が保持している端末情報の第２のチェックサムを前記サーバー装置に要求して取得し、前記第１および第２のチェックサムが一致するか否かを判定する情報比較手段と、
前記情報比較手段による判定結果が不一致の場合、前記サーバー装置が保持している端末情報の送信を前記サーバー装置に要求し、前記サーバー装置から同端末情報を受信し前記第１の記憶手段に供給して前記第１の記憶手段が保持している端末情報を更新する第１の情報受信手段とを備え、
前記サーバー装置は、
前記端末情報を保持する第２の記憶手段と、
前記移動無線端末装置から端末情報を受信して前記第２の記憶手段に格納する第２の情報受信手段と、
前記移動無線端末装置からの要求に応じて前記第２の記憶手段が保持している端末情報より前記第２のチェックサムを算出して前記移動無線端末装置に送信するチェックサム送信手段と、
前記移動無線端末装置からの要求に応じて前記第２の記憶手段から端末情報を読み出して前記移動無線端末装置に送信する第２の情報送信手段とを備え、
前記移動無線端末装置の前記第１の記憶手段に保持されている端末情報を、前記サーバー装置の前記第２の記憶手段にバックアップして保持させておき、前記移動無線端末装置の前記情報比較手段が、前記第１の記憶手段に保持されている端末情報の第１チェックサムと、前記第２の記憶手段にバックアップされて保持されている端末情報の第２のチェックサムとを比較して、それらチェックサムが一致するか否かを判定し、それらチェックサムが不一致の場合に、前記第１の情報受信手段が、前記第１の記憶手段に保持されている端末情報を、前記第２の記憶手段にバックアップされている端末情報によって更新するようにした、
ことを特徴とする移動無線通信システム。
【請求項２】
前記移動無線端末装置はタイマー手段を備え、前記第１の情報送信手段、前記情報比較手段、ならびに前記第１の情報受信手段は、前記タイマー手段の動作にもとづいて定期的に起動されることを特徴とする請求項１記載の移動無線通信システム。
【請求項３】
前記移動無線端末装置は、ＣＰＵおよびメモリーと、前記サーバー装置からプログラムデータを受信して前記メモリーにロードするダウンロード手段とをさらに含み、前記ＣＰＵが、前記メモリーにロードされた前記プログラムデータにもとづいて動作することで、前記第１の情報送信手段、前記情報比較手段、ならびに前記第１の情報受信手段が実現されていることを特徴とする請求項１記載の移動無線通信システム。
【請求項４】
前記プログラムデータはＪＡＶＡによるプログラムのデータであることを特徴とする請求項３記載の移動無線通信システム。
【請求項５】
前記端末情報は、前記移動無線端末装置における無線通信に係わる調整データ、前記移動無線端末装置におけるファンクション設定データ、着信メロディーのデータ、電話帳データ、ならびに利用者のスケジュールデータのうちのいずれか１つまたは複数を含むことを特徴とする請求項１記載の移動無線通信システム。
【請求項６】
前記移動無線端末装置は携帯電話機、ＰＨＳ端末、ならびに携帯情報端末のいずれかであることを特徴とする請求項１記載の移動無線通信システム。
【発明の詳細な説明】
【０００１】
【発明の属する技術分野】
本発明は、携帯電話機やＰＨＳ端末などの移動無線端末装置を含む移動無線通信システムに関するものである。
【０００２】
【従来の技術】
携帯電話機やＰＨＳ端末などの従来の移動無線端末装置では、利用者がキー操作部を操作して入力したファンクション設定値、電話帳データ、無線通信に係わる調整データ、着信メロディーのデータ、利用者のスケジュールデータなどの端末情報は、移動無線端末装置の記憶部に記憶され、記憶されたデータは必要に応じて記憶部から読み出し使用する構成となっている。
【０００３】
【発明が解決しようとする課題】
ところで、これらの端末情報は、移動無線端末装置に対する誤った操作や、移動無線端末装置の故障などにより消去されたり変化してしまうといったことが起こり得る。そこで従来は、利用者が適宜、端末情報を移動無線端末装置からパソコン（パーソナルコンピュータ）などの外部の装置にコピーすることでバックアップを行っていた。
しかし、このようなバックアップを行うためにはパソコンなどが必要であり、また専用のソフトウェアツールを購入しなければならず、さらにバックアップの作業も面倒である。
本発明はこのような問題を解決するためになされたもので、その目的は、パソコンやソフトウェアツールを用いることなく、かつ簡単に端末情報をバックアップできる移動無線通信システムを提供することにある。
【０００４】
【課題を解決するための手段】
本発明は、上記目的を達成するため、端末情報を保持する第１の記憶手段を備え前記第１の記憶手段が保持する端末情報を用いて動作する移動無線端末装置と、前記移動無線端末装置との間で無線回線を介してデータ通信可能なサーバー装置とを含む移動無線通信システムであって、前記移動無線端末装置は、前記第１の記憶手段が保持している端末情報を前記第１の記憶手段から読み出して前記サーバー装置に送信する第１の情報送信手段と、前記第１の記憶手段が保持している端末情報より第１のチェックサムを算出し、前記サーバー装置が保持している端末情報の第２のチェックサムを前記サーバー装置に要求して取得し、前記第１および第２のチェックサムが一致するか否かを判定する情報比較手段と、前記情報比較手段による判定結果が不一致の場合、前記サーバー装置が保持している端末情報の送信を前記サーバー装置に要求し、前記サーバー装置から同端末情報を受信し前記第１の記憶手段に供給して前記第１の記憶手段が保持している端末情報を更新する第１の情報受信手段とを備え、前記サーバー装置は、前記端末情報を保持する第２の記憶手段と、前記移動無線端末装置から端末情報を受信して前記第２の記憶手段に格納する第２の情報受信手段と、前記移動無線端末装置からの要求に応じて前記第２の記憶手段が保持している端末情報より前記第２のチェックサムを算出して前記移動無線端末装置に送信するチェックサム送信手段と、前記移動無線端末装置からの要求に応じて前記第２の記憶手段から端末情報を読み出して前記移動無線端末装置に送信する第２の情報送信手段とを備え、前記移動無線端末装置の前記第１の記憶手段に保持されている端末情報を、前記サーバー装置の前記第２の記憶手段にバックアップして保持させておき、前記移動無線端末装置の前記情報比較手段が、前記第１の記憶手段に保持されている端末情報の第１チェックサムと、前記第２の記憶手段にバックアップされて保持されている端末情報の第２のチェックサムとを比較して、それらチェックサムが一致するか否かを判定し、それらチェックサムが不一致の場合に、前記第１の情報受信手段が、前記第１の記憶手段に保持されている端末情報を、前記第２の記憶手段にバックアップされている端末情報によって更新するようにしたことを特徴とする。
【０００５】
本発明の移動無線通信システムでは、移動無線端末装置側の第１の情報送信手段が、たとえば定期的に起動されて、第１の記憶手段が保持している端末情報を第１の記憶手段から読み出してサーバー装置に送信すると、サーバー装置側では、第２の情報受信手段がこの端末情報を受信して第２の記憶手段に格納する。
【０００６】
そして、移動無線端末装置側では、情報比較手段および第１の情報受信手段が、たとえば同じく定期的に起動され、情報比較手段は、第１の記憶手段が保持している端末情報より第１のチェックサムを算出し、また、サーバー装置が保持している端末情報の第２のチェックサムをサーバー装置に要求する。これに対してサーバー装置のチェックサム送信手段は、移動無線端末装置からの要求に応じて第２の記憶手段が保持している端末情報より第２のチェックサムを算出して移動無線端末装置に送信する。情報比較手段は、この第２のチェックサムを取得し、第１および第２のチェックサムが一致するか否かを判定する。
第１の情報受信手段は、情報比較手段によるこの判定結果が不一致の場合、サーバー装置が保持している端末情報の送信をサーバー装置に要求し、サーバー装置の第２の情報送信手段が、移動無線端末装置からの要求に応じて第２の記憶手段から端末情報を読み出し移動無線端末装置に送信する。移動無線端末装置の第１の情報受信手段は、サーバー装置から同端末情報を受信し第１の記憶手段に供給して第１の記憶手段が保持している端末情報を更新する。
【０００７】
このように、本発明の移動無線通信システムでは、移動無線端末装置が保持する端末情報は、たとえば定期的にサーバー装置に送られてサーバー装置に保持され、そして、移動無線端末装置が保持する端末情報が、サーバー装置が保持する端末情報と異なる場合には、移動無線端末装置の端末情報は、サーバー装置が保持する正しい端末情報に更新される。
したがって、本発明の移動無線通信システムでは、利用者は、端末情報のバックアップのためにパソコンや専用のソフトウェアなどを用意する必要がなく、そして自身で煩わしい作業を行うことなく端末情報のバックアップを行うことができる。
【０００８】
【発明の実施の形態】
次に本発明の実施の形態例について図面を参照して説明する。
図１は本発明の一実施の形態例の機能的な構成を示す要部ブロック図、図２は本発明の実施の形態例の全体を示す構成図、図３は実施の形態例の移動無線端末装置の構成を示すブロック図、図４は実施の形態例のサーバー装置の構成を示す概略ブロック図、図５は実施の形態例の動作を示すフローチャートである。
【０００９】
図２に示したように、本実施の形態例の移動無線通信システム２は、携帯電話などの移動無線端末装置４、基地局６、ならびにサーバー装置８を含んで構成されている。移動無線端末装置４と基地局６とは無線回線により接続され、基地局６とサーバー装置８とはＬＡＮ９（Ｌｏｃａｌ  Ａｒｅａ  Ｎｅｔｗｏｒｋ）により接続されている。なお、図では１台の移動無線端末装置４のみが示されているが実際には複数の移動無線端末装置４が無線回線を通じて基地局６に接続され、したがってまたサーバー装置８に接続されている。
【００１０】
移動無線端末装置４は、図３に示したように、無線部１０、制御部１１、音声処理部１２、記憶装置部１４、表示装置部１６、キー操作部１８などにより構成されている。
音声はマイク２０により音声信号に変換され、音声信号は、制御部１１による制御のもとで音声処理部１２により処理され無線部１０でキャリア信号を変調してアンテナ２２を通じ無線信号として基地局６に送信される。
一方、基地局６からの無線信号は、アンテナ２２で受信され、無線部１０で復調された後、音声処理部１２で処理されて音声信号が生成され、スピーカ２４に供給して音声が発せられる。
移動無線端末装置４における無線通信に係わる調整データ、移動無線端末装置４におけるファンクション設定データ、着信メロディーのデータ、電話帳データ、ならびに利用者のスケジュールデータなどの端末情報は、記憶装置部１４に格納される。制御部１１はこの端末情報を記憶装置部１４から読み出して各部の制御に使用し、また情報として表示装置部１６に出力して表示させる。さらに制御部１１は後に詳しく説明するように、記憶装置部１４から読み出した端末情報を無線部１０を通じて基地局６に送信したり、逆に基地局６から受信した端末情報を無線部１０を通じて受け取り、記憶装置部１４に格納する。
【００１１】
キー操作部１８は利用者が操作する複数のキーを含み、制御部１１はこのキー操作部１８に対する操作にもとづいて電話番号や、各種の操作情報を取得する。表示装置部１６はたとえば液晶表示装置により構成され、制御部１１による制御のもとで電話番号や各種の情報を利用者に対して表示する。
制御部１１は具体的にはＣＰＵ（中央処理装置）を含んで構成され、このＣＰＵが記憶装置部１４に格納されているプログラムデータにもとづいて動作することで上記各部の制御などが行われ、また以下に詳しく説明する各種の機能が実現されている。なお、記憶装置部１４は本実施の形態例でＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）により構成されている。
【００１２】
サーバー装置８は、図４に示したように、ＬＡＮインターフェース２６、制御部２８、ならびに記憶装置部３０を含んで構成されている。
ＬＡＮインターフェース２６は、上記ＬＡＮ９を通じて情報を送受信するためのものである。
制御部１１は不図示のＣＰＵおよびメモリーを含んで構成され、ＣＰＵが、メモリーに保持されたプログラムデータにもとづいて動作することで以下に詳しく説明するサーバー装置８の各種の機能が実現される。
記憶装置部３０は本実施の形態例ではハードディスク装置により構成され、本実施の形態例では特に端末情報を格納するために用いられる。
【００１３】
移動無線通信システム２は、特に本発明に係わる機能の点では図１に示したような構成となっている。
図１に示した移動無線端末装置４側の各機能は特に上記制御部１１および記憶装置部１４により実現され、サーバー装置８側の各機能は制御部２８および記憶装置部３０により実現されている。
移動無線端末装置４は機能的には、図１に示したように、第１の記憶手段３２、第１の情報送信手段３４、情報比較手段３６、第１の情報受信手段３８、タイマー手段４０、ならびにダウンロード手段４２を含んで構成されている。第１の記憶手段３２は上記記憶装置部１４により実現され、第１の情報送信手段３４、情報比較手段３６、第１の情報受信手段３８、タイマー手段４０、ならびにダウンロード手段４２は制御部１１を構成する上記ＣＰＵが記憶装置部１４に格納されたプログラムデータにもとづいて動作することで実現されている。
【００１４】
ダウンロード手段４２は、サーバー装置８からプログラムデータを受信して記憶装置部１４にロードし、制御部１１の上記ＣＰＵが、記憶装置部１４にローダされたこのプログラムデータにもとづいて動作することで、第１の情報送信手段３４、情報比較手段３６、第１の情報受信手段３８、ならびにタイマー手段４０が実現される。なお、ダウンロード手段４２がサーバー装置８からダウンロードする上記プログラムは、本実施の形態例では一例としてＪＡＶＡにもとづくプログラムであるとする。サーバー装置８では、記憶装置部３０にこのプログラムデータがあらかじめ格納されており、制御部２８は移動無線端末装置４からの要求に応じてプログラムデータを記憶装置部３０から読み出し、ＬＡＮインターフェース２６を通じて移動無線端末装置４に送信する。
【００１５】
第１の情報送信手段３４は、第１の記憶手段３２が保持している端末情報を第１の記憶手段３２から読み出してサーバー装置８に送信する。
情報比較手段３６は、第１の記憶手段３２が保持している端末情報より第１のチェックサムを算出し、サーバー装置８が保持している端末情報の第２のチェックサムをサーバー装置８に要求して取得し、第１および第２のチェックサムが一致するか否かを判定する。
【００１６】
そして、第１の情報受信手段３８は、情報比較手段３６による判定結果が不一致の場合、サーバー装置８が保持している端末情報の送信をサーバー装置８に要求し、サーバー装置８から同端末情報を受信し第１の記憶手段３２に供給して第１の記憶手段３２が保持している端末情報を更新する。
これら第１の情報送信手段３４、情報比較手段３６、ならびに第１の情報受信手段３８は、本実施の形態例では一例として上記タイマー手段４０の動作にもとづいて定期的に起動される。
【００１７】
一方、サーバー装置８は機能的には、図１に示したように、第２の記憶手段４４（記憶装置部３０）、第２の情報受信手段４６、チェックサム送信手段４８、ならびに第２の情報送信手段５０により構成されている。
第２の情報受信手段４６は、移動無線端末装置４から端末情報を受信して第２の記憶手段４４に格納する。
チェックサム送信手段４８は、移動無線端末装置４からの要求に応じて第２の記憶手段４４が保持している端末情報より第２のチェックサムを算出して移動無線端末装置４に送信する。
そして、第２の情報送信手段５０は、移動無線端末装置４からの要求に応じて第２の記憶手段４４から端末情報を読み出して移動無線端末装置４に送信する。
【００１８】
次に、このように構成された移動無線通信システム２の動作について図５をも参照しつつ説明する。
まず、移動無線端末装置４のダウンロード手段４２は、サーバー装置８からプログラムデータ（ＪＡＶＡアプリケーション）を受信して記憶装置部１４にロードする（ステップＳ１）。以降、制御部１１の上記ＣＰＵは、このプログラムデータにもとづいて第１の情報送信手段３４、情報比較手段３６、第１の情報受信手段３８、ならびにタイマー手段４０として動作する。
【００１９】
つづいてタイマー手段４０が起動され（ステップＳ２）、これによりタイマー手段４０は一定時間が経過するごとに第１の情報送信手段３４、情報比較手段３６、ならびに第１の情報受信手段３８を起動する。
タイマー手段４０により起動された第１の情報送信手段３４は、第１の記憶手段３２が保持している端末情報を第１の記憶手段３２から読み出してサーバー装置８に送信する。サーバー装置８側では、第２の情報受信手段４６がこの端末情報を受信して第２の記憶手段４４に格納する（ステップＳ３）。
【００２０】
次に制御部１１は、移動無線端末装置４とサーバー装置８とがそれぞれ保持する端末情報間の違いの有無を調べる差分チェックを行うか否かを判定する（ステップＳ４）。この判定は記憶装置部１４に所定の情報が保持されているか否かにもとづいて行い、この所定情報は、利用者があらかじめキー操作部１８を操作することで設定される。すなわち、差分チェックを定期的に行わせるか否かに応じて、利用者はそのための設定操作をキー操作部１８で行い、その結果、制御部１１はこの設定操作にもとづいて差分チェックを実行するか否かを表す上記所定情報を記憶装置部１４に格納する。
【００２１】
差分チェックを実行しないことを表す上述所定情報が記憶装置部１４に格納されている場合、ステップ４における判定結果はＮｏとなり、以降、ステップＳ２、Ｓ３、Ｓ４が繰り返される。
一方、差分チェックの実行を表す情報が記憶装置部１４に格納されていて、ステップＳ４における判定結果がＹｅｓの場合、情報比較手段３６は、第１の記憶手段３２が保持している端末情報より第１のチェックサムを算出し、また、サーバー装置８が保持している端末情報の第２のチェックサムをサーバー装置８に要求する（ステップＳ５）。これに対してサーバー装置８のチェックサム送信手段４８は、移動無線端末装置４からの要求に応じて第２の記憶手段４４が保持している端末情報より第２のチェックサムを算出して移動無線端末装置４に送信する。
【００２２】
情報比較手段３６は、この第２のチェックサムを取得し、第１および第２のチェックサムを比較して（ステップＳ６）それらが一致するか否かにより、移動無線端末装置４とサーバー装置８とがそれぞれ保持する端末情報間に違い（差分）が有るか否かを判定する（ステップＳ７）。
この判定結果がＮｏの場合は、移動無線端末装置４が保持する端末情報は、サーバー装置８にバックアップされている端末情報と同じであり、移動無線端末装置４の端末情報を更新する必要がないので、動作はステップＳ２に戻り、タイマー手段４０が次に第１の情報送信手段３４を起動するまで待機状態となる。
【００２３】
一方、ステップＳ７における判定結果がＹｅｓの場合、第１の情報受信手段３８は、端末情報を書き換えるか否かを判定する（ステップＳ８）。この判定は記憶装置部１４に所定の情報が保持されているか否かにもとづいて行い、この所定情報は、利用者があらかじめキー操作部１８を操作することで設定される。すなわち、移動無線端末装置４が保持する端末情報とサーバー装置８が保持する端末情報とが異なっている際に、移動無線端末装置４の端末情報をサーバー装置８の端末情報によって更新するか否かに応じて、利用者はキー操作部１８で設定操作を行い、その結果、制御部１１はこの設定操作にもとづいて更新または非更新を表す所定情報を記憶装置部１４に格納する。
【００２４】
ここで、記憶装置部１４に格納されている上記所定情報が非更新を表す場合は、移動無線端末装置４の端末情報は更新されず、動作はステップＳ２に戻り、タイマー手段４０が次に第１の情報送信手段３４を起動するまで待機状態となる。なお、ステップＳ８における判定結果がこのようにＮｏの場合、制御部１１が表示装置部１６に、端末情報の更新を行うか否かを問い合わせるメッセージを表示し、この問い合わせに対して利用者がキー操作部１８で操作を行った結果にもとづいて端末情報の更新を行うか否かを決める構成としてもよい。この構成では、移動無線端末装置４とサーバー装置８の端末情報が異なっている場合には、更新するか否かが利用者に問い合わされ、利用者が更新は必要と判断した場合に移動無線端末装置４の端末情報が更新されることになる。
【００２５】
一方、記憶装置部１４に格納されている上記所定情報が更新を表す場合は、第１の情報受信手段３８は、サーバー装置８が保持している端末情報の送信をサーバー装置８に要求し、サーバー装置８の第２の情報送信手段５０が、移動無線端末装置４からの要求に応じて第２の記憶手段４４から端末情報を読み出して移動無線端末装置４に送信すると、第１の情報受信手段３８は、サーバー装置８から同端末情報を受信し第１の記憶手段３２に供給して第１の記憶手段３２が保持している端末情報を更新する（ステップＳ９）。
その後、動作はステップＳ２に戻り、タイマー手段４０が作動することで定期的に同様の動作が繰り返される。
【００２６】
このように、本実施の形態例では、移動無線端末装置４が保持する端末情報は、定期的にサーバー装置８に送られてサーバー装置８に保持され、端末情報のバックアップが行われる。
また、移動無線端末装置４とサーバー装置８とがそれぞれ保持する端末情報が一致しているか否かが定期的にチェックされ、移動無線端末装置４が保持する端末情報が、サーバー装置８が保持する端末情報と異なる場合には、移動無線端末装置４の端末情報は、サーバー装置８が保持する正しい端末情報に更新される。したがって、本実施の形態例の移動無線通信システム２では、利用者は、端末情報のバックアップのためにパソコンや専用のソフトウェアなどを用意する必要がなく、そして自身で煩わしい作業を行うことなく端末情報のバックアップを行うことができる。
【００２７】
なお、本実施の形態例では、移動無線端末装置がサーバー装置からプログラムデータをダウンロードし、制御部１１がそのプログラムデータにもとづいて動作することで、第１の情報送信手段３４、情報比較手段３６、第１の情報受信手段３８、ならびにタイマー手段４０が実現されているとしたが、記憶装置部１４にあらかじめプログラムデータを格納しておき、制御部１１がそのプログラムデータにもとづいて動作することでこれらの機能を実現する構成とすることも無論可能である。
【００２８】
本実施の形態例では、移動無線端末装置４からサーバー装置８への端末情報の送信、および移動無線端末装置４が保持する端末情報の更新はタイマー手段４０により定期的に行うとしてが、利用者が必要に応じてキー操作を行った場合にのみ、上述のような端末情報のバックアップ動作や、更新動作を行う構成とすることも可能であり、同様の効果を得ることができる。
また、本実施の形態例では、サーバー装置８からダウンロードしたプログラムによりタイマー手段４０が実現されるとしたが、移動無線端末装置４の制御部１１が最初からこの機能を有している構成とすることも無論可能である。
そして、移動無線端末装置４は携帯電話機などであるとしたが、移動無線端末装置４がＰＨＳ端末や携帯情報端末などである場合にも本発明は有効である。
【００２９】
さらに、サーバー装置８が保持している端末情報を、複数の移動無線端末装置４が共用する構成とすることも可能である。その場合には、たとえば企業などで、１台の移動無線端末装置４の端末情報をサーバー装置８にアップロードしておけば、複数の社員がそれぞれの移動無線端末装置４で同じ端末情報を用いることが可能となる。したがって、各社員がそれぞれの移動無線端末装置４で個々に同様の設定を行うといった無駄を解消できる。
また、１台の移動無線端末装置４を複数の利用者が共用する場合、サーバー装置８において各利用者ごとに端末情報を保持できる構成とすれば、各利用者は自信の端末情報をサーバー装置８からのダウンロードすることにより、容易に独自の設定で移動無線端末装置４を使用することが可能となる。
【００３０】
さらに、サーバー装置８から移動無線端末装置４に端末情報をダウンロードする際に、ダウンロードする情報を選択できる構成としてもよい。そのような構成とした場合には、たとえば電話帳データのうち、現在必要なデータのみをダウンロードして移動無線端末装置４におけるメモリーの使用量を削減することができる。また、電話帳データの管理には、従来、パソコンや専用のソフトウェアツールが必要があったが、それらは不要となる。
【００３１】
【発明の効果】
以上説明したように本発明の移動無線通信システムでは、移動無線端末装置側の第１の情報送信手段が、たとえば定期的に起動されて、第１の記憶手段が保持している端末情報を第１の記憶手段から読み出してサーバー装置に送信すると、サーバー装置側では、第２の情報受信手段がこの端末情報を受信して第２の記憶手段に格納する。
【００３２】
そして、移動無線端末装置側では、情報比較手段および第１の情報受信手段が、たとえば同じく定期的に起動され、情報比較手段は、第１の記憶手段が保持している端末情報より第１のチェックサムを算出し、また、サーバー装置が保持している端末情報の第２のチェックサムをサーバー装置に要求する。これに対してサーバー装置のチェックサム送信手段は、移動無線端末装置からの要求に応じて第２の記憶手段が保持している端末情報より第２のチェックサムを算出して移動無線端末装置に送信する。情報比較手段は、この第２のチェックサムを取得し、第１および第２のチェックサムが一致するか否かを判定する。
第１の情報受信手段は、情報比較手段によるこの判定結果が不一致の場合、サーバー装置が保持している端末情報の送信をサーバー装置に要求し、サーバー装置の第２の情報送信手段が、移動無線端末装置からの要求に応じて第２の記憶手段から端末情報を読み出し移動無線端末装置に送信する。移動無線端末装置の第１の情報受信手段は、サーバー装置から同端末情報を受信し第１の記憶手段に供給して第１の記憶手段が保持している端末情報を更新する。
【００３３】
このように、本発明の移動無線通信システムでは、移動無線端末装置が保持する端末情報は、たとえば定期的にサーバー装置に送られてサーバー装置に保持され、そして、移動無線端末装置が保持する端末情報が、サーバー装置が保持する端末情報と異なる場合には、移動無線端末装置の端末情報は、サーバー装置が保持する正しい端末情報に更新される。
したがって、本発明の移動無線通信システムでは、利用者は、端末情報のバックアップのためにパソコンや専用のソフトウェアなどを用意する必要がなく、そして自身で煩わしい作業を行うことなく端末情報のバックアップを行うことができる。
【図面の簡単な説明】
【図１】本発明の一実施の形態例の機能的な構成を示す要部ブロック図である。
【図２】本発明の実施の形態例の全体を示す構成図である。
【図３】実施の形態例の移動無線端末装置の構成を示すブロック図である。
【図４】実施の形態例のサーバー装置の構成を示す概略ブロック図である。
【図５】実施の形態例の動作を示すフローチャートである。
【符号の説明】
２……移動無線通信システム、４……移動無線端末装置、６……基地局、８……サーバー装置、１０……無線部、１２……音声処理部、１４……記憶装置部、１６……表示装置部、１８……キー操作部、２０……マイク、２２……アンテナ、２４……スピーカ、２６……ＬＡＮインターフェース、２８……制御部、３０……記憶装置部、３２……第１の記憶手段、３４……第１の情報送信手段、３６……情報比較手段、３８……第１の情報受信手段、４０……タイマー手段、４２……ダウンロード手段、４４……第２の記憶手段、４６……第２の情報受信手段、４８……チェックサム送信手段、５０……第２の情報送信手段。
【図１】
0003570325.tif 000002
【図２】
0003570325.tif 000003
【図３】
0003570325.tif 000004
【図４】
0003570325.tif 000005
【図５】
0003570325.tif 000006